(57)【特許請求の範囲】
【請求項１】
携帯端末の位置情報取得システムを用いたコミュニケーションシステムであって、
位置情報を取得する位置情報取得手段と、
前記位置情報で特定される場所のキーワードを選択するキーワード選択手段と、
前記位置情報、前記キーワード及びユーザを識別するユーザ識別情報とを含む位置登録情報をサーバに送信し、前記位置登録情報を位置登録情報データベースに登録を要求する手段と、
前記位置情報、前記キーワード及びユーザを識別するユーザ識別情報とを含む位置登録情報をサーバに送信し、前記位置情報及び前記キーワードにマッチングするユーザ情報の送信を要求する手段と、
マッチングしたユーザ情報を受信し、前記ユーザ情報に基づいて、コミュニケーションを行うコミュニケーション手段と
を有する携帯端末と、
ユーザ識別情報と、前記ユーザ識別情報に対応するユーザ情報とが関連付けられて登録されているユーザ情報データベースと、
位置情報と、前記位置情報に対応するキーワードと、ユーザ識別情報とが関連付けられて登録される位置登録情報データベースと、
前記携帯端末より送信されてくる位置登録情報の登録要求に応答して、位置情報と前記位置情報に対応するキーワードとユーザ識別情報とを関連付けて、前記位置登録情報データベースに登録する登録手段と、
前記携帯端末より送信されてくるマッチングの要求に応答して、送信されてきた前記位置情報及び前記キーワードとマッチングする位置情報及びキーワードに関連するユーザ識別情報を、前記位置登録情報データベースから検索するマッチング処理手段と、
前記マッチング処理手段により、検索されたユーザ識別情報に対応するユーザ情報を、前記ユーザ情報データベースから検索するユーザ情報検索手段と、
前記ユーザ情報検索手段により検索されたユーザ情報を、前記マッチングの要求を送信した携帯端末に送信する送信手段と
を有するサーバと
を有することを特徴とするコミュニケーションシステム。
【請求項２】
前記ユーザ情報がメールアドレスであることを特徴とする請求項１に記載のコミュニケーションシステム。
【請求項３】
前記キーワード選択手段は、予め複数のキーワードが登録されており、登録されているキーワードにより、希望のキーワードを選択する手段であることを特徴とする請求項１又は請求項２に記載のコミュニケーションシステム。
【請求項４】
前記コミュニケーション手段が電子メールの送受信手段であることを特徴とする請求項１から請求項３のいずれかに記載のコミュニケーションシステム。
【請求項５】
携帯端末の位置情報取得システムを用いたコミュニケーションシステムにおけるサーバであって、
ユーザを識別するユーザ識別情報と、前記ユーザ識別情報に対応するユーザ情報とが関連付けられて登録されているユーザ情報データベースと、
位置情報と、前記位置情報で特定される場所についてユーザにより定められるキーワードと、前記ユーザ識別情報とが関連付けられて登録される位置登録情報データベースと、
携帯端末より送信されてくる位置登録情報の登録要求に応答して、前記位置情報と前記キーワードと前記ユーザ識別情報とを関連付けて、前記位置登録情報データベースに登録する登録手段と、
前記携帯端末より送信されてくるマッチングの要求に応答して、送信されてきた前記位置情報及び前記キーワードとマッチングする位置情報及びキーワードに関連するユーザ識別情報を、前記位置登録情報データベースから検索するマッチング処理手段と、
前記マッチング処理手段により、検索されたユーザ識別情報に対応するユーザ情報を、前記ユーザ情報データベースから検索するユーザ情報検索手段と、
前記ユーザ情報検索手段により検索されたユーザ情報を、前記マッチングの要求を送信した携帯端末に送信する送信手段と
を有することを特徴とするコミュニケーションシステムのサーバ。
【請求項６】
前記ユーザ情報がメールアドレスであることを特徴とする請求項５に記載のコミュニケーションシステム。
【請求項７】
携帯端末の位置情報取得システムを用いたコミュニケーションシステムにおけるサーバのプログラムであって、
前記プログラムは前記サーバを、
ユーザを識別するユーザ識別情報と、前記ユーザ識別情報に対応するユーザ情報とが関連付けられて登録されているユーザ情報データベースと、
位置情報と、前記位置情報で特定される場所についてユーザにより定められるキーワードと、前記ユーザ識別情報とが関連付けられて登録される位置登録情報データベースと、
携帯端末より送信されてくる位置登録情報の登録要求に応答して、前記位置情報と前記キーワードと前記ユーザ識別情報とを関連付けて、前記位置登録情報データベースに登録する登録手段と、
前記携帯端末より送信されてくるマッチングの要求に応答して、送信されてきた前記位置情報及び前記キーワードとマッチングする位置情報及びキーワードに関連するユーザ識別情報を、前記位置登録情報データベースから検索するマッチング処理手段と、
前記マッチング処理手段により、検索されたユーザ識別情報に対応するユーザ情報を、前記ユーザ情報データベースから検索するユーザ情報検索手段と、
前記ユーザ情報検索手段により検索されたユーザ情報を、前記マッチングの要求を送信した携帯端末に送信する送信手段として機能させることを特徴とするコミュニケーションシステムのサーバのプログラム。
【請求項８】
前記ユーザ情報がメールアドレスであることを特徴とする請求項７に記載のコミュニケーションシステムのサーバのプログラム。
【請求項９】
携帯端末の位置情報取得システムを用いたコミュニケーションシステムの携帯端末であって、
位置情報を取得する位置情報取得手段と、
前記位置情報で特定される場所のキーワードを選択するキーワード選択手段と、
前記位置情報、前記キーワード及びユーザを識別するユーザ識別情報とを含む位置登録情報をサーバに送信し、前記位置登録情報のサーバへの登録を要求する手段と、
前記位置情報、前記キーワード及びユーザを識別するユーザ識別情報とを含む位置登録情報をサーバに送信し、前記位置情報及び前記キーワードにマッチングするユーザ情報の送信を要求する手段と、
マッチングしたユーザ情報を受信し、前記ユーザ情報に基づいて、コミュニケーションを行うコミュニケーション手段と
を有することを特徴とするコミュニケーションシステムの携帯端末。
【請求項１０】
前記ユーザ情報がメールアドレスであることを特徴とする請求項９に記載のコミュニケーションシステムの携帯端末。
【請求項１１】
前記キーワード選択手段は、予め複数のキーワードが登録されており、登録されているキーワードにより、希望のキーワードを選択する手段であることを特徴とする請求項９又は請求項１０に記載のコミュニケーションシステムの携帯端末。
【請求項１２】
前記コミュニケーション手段が電子メールの送受信手段であることを特徴とする請求項９から請求項１１のいずれかに記載のコミュニケーションシステムの携帯端末。
【請求項１３】
携帯端末の位置情報取得システムを用いたコミュニケーションシステムの携帯端末のプログラムであって、前記プログラムは前記携帯端末を、
位置情報を取得する位置情報取得手段と、
前記位置情報で特定される場所のキーワードを選択するキーワード選択手段と、
前記位置情報、前記キーワード及びユーザを識別するユーザ識別情報とを含む位置登録情報をサーバに送信し、前記位置登録情報のサーバへの登録を要求する手段と、
前記位置情報、前記キーワード及びユーザを識別するユーザ識別情報とを含む位置登録情報をサーバに送信し、前記位置情報及び前記キーワードにマッチングするユーザ情報の送信を要求する手段と、
マッチングしたユーザ情報を受信し、前記ユーザ情報に基づいてコミュニケーションを行うコミュニケーション手段として機能させることを特徴とする携帯端末のプログラム。
【請求項１４】
前記ユーザ情報がメールアドレスであることを特徴とする請求項１３に記載の携帯端末のプログラム。
【請求項１５】
前記キーワード選択手段を、予め複数のキーワードが登録されており、登録されているキーワードにより、希望のキーワードを選択する手段として機能させることを特徴とする請求項１３又は請求項１４に記載の携帯端末のプログラム。
【請求項１６】
前記コミュニケーション手段を、電子メールの送受信手段として機能させることを特徴とする請求項１３から請求項１５のいずれかに記載の携帯端末のプログラム。
【発明の詳細な説明】
【０００１】
【発明が属する技術分野】
本発明は携帯端末のユーザ間でコミュニケーションを図るコミュニケーションシステムの技術に関し、特に近年、携帯端末に備わったＧＰＳシステムを利用し、取得した位置情報を用いたコミュニケーションシステムの技術に関する。
【０００２】
【従来の技術】
近年の携帯電話のサービスは、従来の設置型の電話のように単なる通話サービスのみならず、コンテンツサーバから着信メロディ等のコンテンツの配信サービス等も行われている。さらに、複数のユーザと、メールやチャットを交換してコミュニケーションを図るサービスも好評を博している。
【０００３】
以下に、このようなサービスの一例を、図１２を用いて説明する。
【０００４】
図１２中、１００はエージェントサービスのアプリケーションを提供するインフォメーション・プロバイダーサーバ（ＩＰサーバ）、２００はゲートウェイサーバであり、３００は基地局であり、４００及び５００は携帯電話であり、６００はゲートウェイサーバ２００側の固定通信網であり、７００はゲートウェイサーバ２００とＩＰサーバ１００とを結ぶ通信網（インターネット）であり、８００はメールサーバである。
【０００５】
携帯電話４００のユーザＡと携帯電話５００のユーザＢとは、ＩＰサーバ１００が提供するコミュニケーションサービスを受けるため、ＩＰサーバ１００からコミュニケーションツール（プログラム）を、ＩＰサーバ１００からダウンロードする。このダウンロードは、ゲートウェイサーバ２００を介して、インターネット７００に接続されたＩＰサーバ１００から行われる。
【０００６】
その後、携帯電話４００及び携帯電話５００に格納されたコミュニケーションツール（プログラム）を用いて、携帯電話４００のユーザＡと携帯電話５００のユーザＢとがメール等のコミュニケーションを行う場合には、ゲートウェイサーバ２００を介さず、メールサーバ８００等により直接送受信が行われる。このようなメールの送受信の場合、通常のインターネットを用いた電子メールとは異なり、携帯電話４００，５００の個別の識別情報、例えば電話番号等を用いてメールのやりとりが行われる。
【０００７】
但し、携帯電話４００，５００の個別の識別情報は電話番号等、個人を特定することができる情報であるため、秘密保持やプライバシーの観点より、携帯電話４００，５００の識別情報は携帯電話のユーザがかってに読み取ることができないよう、識別情報は、ユーザにより、ファイルを開くことができないメモリに格納される。
【０００８】
上記のような、データの送受信を達成するシステムとしては、現在、ａｕ（ＫＤＤＩ）が行っているパケットＣメール（登録商標）がある。
【０００９】
一方、近年の携帯電話は、ＧＰＳシステムを備え、自分がいる位置の緯度・経度といった位置情報を簡単に取得することができるものも多くなってきている。
【００１０】
【発明が解決しようとする課題】
このような状況下で、現在のコミュニケーションシステムに、位置登録システムを用いたシステムが、ユーザ等から要望されていた。
【００１１】
そこで、本発明は上記課題に鑑みて発明されたものであって、その目的は携帯端末に備わったＧＰＳシステムを利用し、取得した位置情報を用いたコミュニケーションシステムの技術を提供することにある。
【００１２】
上記課題を解決する第１の発明は、携帯端末の位置情報取得システムを用いたコミュニケーションシステムであって、
位置情報を取得する位置情報取得手段と、
前記位置情報で特定される場所のキーワードを選択するキーワード選択手段と、
前記位置情報、前記キーワード及びユーザを識別するユーザ識別情報とを含む位置登録情報をサーバに送信し、前記位置登録情報を位置登録情報データベースに登録を要求する手段と、
前記位置情報、前記キーワード及びユーザを識別するユーザ識別情報とを含む位置登録情報をサーバに送信し、前記位置情報及び前記キーワードにマッチングするユーザ情報の送信を要求する手段と、
マッチングしたユーザ情報を受信し、前記ユーザ情報に基づいて、コミュニケーションを行うコミュニケーション手段と
を有する携帯端末と、
ユーザ識別情報と、前記ユーザ識別情報に対応するユーザ情報とが関連付けられて登録されているユーザ情報データベースと、
位置情報と、前記位置情報に対応するキーワードと、ユーザ識別情報とが関連付けられて登録される位置登録情報データベースと、
前記携帯端末より送信されてくる位置登録情報の登録要求に応答して、位置情報と前記位置情報に対応するキーワードとユーザ識別情報とを関連付けて、前記位置登録情報データベースに登録する登録手段と、
前記携帯端末より送信されてくるマッチングの要求に応答して、送信されてきた前記位置情報及び前記キーワードとマッチングする位置情報及びキーワードに関連するユーザ識別情報を、前記位置登録情報データベースから検索するマッチング処理手段と、
前記マッチング処理手段により、検索されたユーザ識別情報に対応するユーザ情報を、前記ユーザ情報データベースから検索するユーザ情報検索手段と、
前記ユーザ情報検索手段により検索されたユーザ情報を、前記マッチングの要求を送信した携帯端末に送信する送信手段と
を有するサーバと
を有することを特徴とする。
【００１３】
上記課題を解決する第２の発明は、上記第1の発明において、前記ユーザ情報がメールアドレスであることを特徴とする。
【００１４】
上記課題を解決する第３の発明は、上記第１又は第２の発明において、前記キーワード選択手段は、予め複数のキーワードが登録されており、登録されているキーワードより、希望のキーワードを選択する手段であることを特徴とする。
【００１５】
上記課題を解決する第４の発明は、上記第１から第３の発明のいずれかにおいて、前記コミュニケーション手段が電子メールの送受信手段であることを特徴とする。
【００１６】
上記課題を解決する第５の発明は、携帯端末の位置情報取得システムを用いたコミュニケーションシステムにおけるサーバであって、ユーザを識別するユーザ識別情報と、前記ユーザ識別情報に対応するユーザ情報とが関連付けられて登録されているユーザ情報データベースと、位置情報と、前記位置情報で特定される場所についてユーザにより定められるキーワードと、前記ユーザ識別情報とが関連付けられて登録される位置登録情報データベースと、携帯端末より送信されてくる位置登録情報の登録要求に応答して、前記位置情報と前記キーワードと前記ユーザ識別情報とを関連付けて、前記位置登録情報データベースに登録する登録手段と、前記携帯端末より送信されてくるマッチングの要求に応答して、送信されてきた前記位置情報及び前記キーワードとマッチングする位置情報及びキーワードに関連するユーザ識別情報を、前記位置登録情報データベースから検索するマッチング処理手段と、前記マッチング処理手段により、検索されたユーザ識別情報に対応するユーザ情報を、前記ユーザ情報データベースから検索するユーザ情報検索手段と、前記ユーザ情報検索手段により検索されたユーザ情報を、前記マッチングの要求を送信した携帯端末に送信する送信手段とを有することを特徴とする。
【００１７】
上記課題を解決する第６の発明は、上記第５の発明において、前記ユーザ情報がメールアドレスであることを特徴とする。
【００１８】
上記課題を解決する第７の発明は、携帯端末の位置情報取得システムを用いたコミュニケーションシステムにおけるサーバのプログラムであって、前記プログラムは前記サーバを、ユーザを識別するユーザ識別情報と、前記ユーザ識別情報に対応するユーザ情報とが関連付けられて登録されているユーザ情報データベースと、位置情報と、前記位置情報で特定される場所についてユーザにより定められるキーワードと、前記ユーザ識別情報とが関連付けられて登録される位置登録情報データベースと、携帯端末より送信されてくる位置登録情報の登録要求に応答して、前記位置情報と前記キーワードと前記ユーザ識別情報とを関連付けて、前記位置登録情報データベースに登録する登録手段と、前記携帯端末より送信されてくるマッチングの要求に応答して、送信されてきた前記位置情報及び前記キーワードとマッチングする位置情報及びキーワードに関連するユーザ識別情報を、前記位置登録情報データベースから検索するマッチング処理手段と、前記マッチング処理手段により、検索されたユーザ識別情報に対応するユーザ情報を、前記ユーザ情報データベースから検索するユーザ情報検索手段と、前記ユーザ情報検索手段により検索されたユーザ情報を、前記マッチングの要求を送信した携帯端末に送信する送信手段として機能させることを特徴とするプログラムである。
【００１９】
上記課題を解決する第８の発明は、上記第７の発明において、前記ユーザ情報がメールアドレスであることを特徴とする。
【００２０】
上記課題を解決する第９の発明は、携帯端末の位置情報取得システムを用いたコミュニケーションシステムの携帯端末であって、
位置情報を取得する位置情報取得手段と、
前記位置情報で特定される場所のキーワードを選択するキーワード選択手段と、
前記位置情報、前記キーワード及びユーザを識別するユーザ識別情報とを含む位置登録情報をサーバに送信し、前記位置登録情報をサーバに登録を要求する手段と、
前記位置情報、前記キーワード及びユーザを識別するユーザ識別情報とを含む位置登録情報をサーバに送信し、前記位置情報及び前記キーワードにマッチングするユーザ情報の送信を要求する手段と、
マッチングしたユーザ情報を受信し、前記ユーザ情報に基づいて、コミュニケーションを行うコミュニケーション手段と
を有することを特徴とする。
【００２１】
上記課題を解決する第１０の発明は、上記第９の発明において、前記ユーザ情報がメールアドレスであることを特徴とする。
【００２２】
上記課題を解決する第１１の発明は、上記第９又は第１０の発明において、前記キーワード選択手段は、予め複数のキーワードが登録されており、登録されているキーワードより、希望のキーワードを選択する手段であることを特徴とする。
【００２３】
上記課題を解決する第１２の発明は、上記第９から第１０のいずれかの発明において、前記コミュニケーション手段が電子メールの送受信手段であることを特徴とする。
【００２４】
上記課題を解決する第１３の発明は、携帯端末の位置情報取得システムを用いたコミュニケーションシステムの携帯端末のプログラムであって、前記プログラムは前記携帯端末を、
位置情報を取得する位置情報取得手段と、
前記位置情報で特定される場所のキーワードを選択するキーワード選択手段と、
前記位置情報、前記キーワード及びユーザを識別するユーザ識別情報とを含む位置登録情報をサーバに送信し、前記位置登録情報をサーバに登録を要求する手段と、
前記位置情報、前記キーワード及びユーザを識別するユーザ識別情報とを含む位置登録情報をサーバに送信し、前記位置情報及び前記キーワードにマッチングするユーザ情報の送信を要求する手段と、
マッチングしたユーザ情報を受信し、前記ユーザ情報に基づいて、コミュニケーションを行うコミュニケーション手段と
して機能させることを特徴とする携帯端末のプログラムである。
【００２５】
上記課題を解決する第１４の発明は、上記第１３の発明において、前記ユーザ情報がメールアドレスであることを特徴とする。
【００２６】
上記課題を解決する第１５の発明は、上記第１３又は第１４の発明において、前記キーワード選択手段を、予め複数のキーワードが登録されており、登録されているキーワードより、希望のキーワードを選択する手段として機能させることを特徴とするプログラムである。
【００２７】
上記課題を解決する第１６の発明は、上記第１３から第１５のいずれかの発明において、前記コミュニケーション手段を、電子メールの送受信手段として機能させることを特徴とするプログラムである。
【００２８】
【発明の実施の形態】
本発明の実施の形態を説明する。
尚、以下の本実施の形態の説明において、コミュニケーションサービスを受けるユーザを、ユーザＡ、ユーザＢとして説明する。
【００２９】
図１中、１はコミュニケーションサービスのアプリケーション及びそのサービスを提供するインフォメーション・プロバイダーサーバ（ＩＰサーバ）、２はゲートウェイサーバであり、３は基地局であり、４及び５は携帯電話であり、６はゲートウェイサーバ２側の固定通信網であり、７はゲートウェイサーバ２とＩＰサーバ１とを結ぶ通信網（インターネット）であり、８は携帯電話４，５で取得したＧＰＳ情報に基づいて位置情報サービスを提供する位置情報サービスサーバ、９はメールサーバである。
【００３０】
携帯電話４のユーザＡと携帯電話５のユーザＢとは、ＩＰサーバ１が提供するコミュニケーションサービスを受けるため、ＩＰサーバ１からコミュニケーションツール（プログラム）を、ＩＰサーバ１からダウンロードする。このダウンロードは、ゲートウェイサーバ２を介して、インターネット７に接続されたＩＰサーバ１から行われる。
【００３１】
また、携帯電話４のユーザＡと携帯電話５のユーザＢとがメール等のコミュニケーションを行う場合には、ゲートウェイサーバ２を介さず、メールサーバ９等により直接送受信が行われる。このようなメールの送受信の場合、通常のインターネットを用いた電子メールとは異なり、携帯電話４，５の個別の識別情報（ユーザ識別情報）、例えば電話番号等を用いてメールのやりとりが行われる。
【００３２】
但し、携帯電話４，５の個別の識別情報は電話番号等、個人を特定することができる情報であるため、秘密保持やプライバシーの観点より、携帯電話４，５の識別情報は携帯電話のユーザがかってに読み取ることができないよう、識別情報は、ユーザにより、ファイルを開くことができないメモリに格納される。
【００３３】
上記のような、データの送受信を達成するシステムとしては、現在、ａｕ（ＫＤＤＩ）が行っているパケットＣメール（登録商標）がある。
【００３４】
一方、携帯端末４や携帯端末５が位置する場所を示す位置情報は、携帯端末４や携帯端末５の有するＧＰＳ機能により取得されたＧＰＳ情報を、位置情報サービスサーバ８に送信することにより、位置情報サービスサーバ８から得られる。その位置情報は、緯度・経度の情報である。
【００３５】
以下に各構成要素について説明する。尚、ゲートウェイサーバ２、位置情報サービスサーバ８や、メールサーバ９等は、従来のものと同様なので、詳細な説明は省略する。
【００３６】
まず、ＩＰサーバ１について説明する。
【００３７】
図２はＩＰサーバ１のブロック図である。図２中、１１はデータの送受信を行う送受信部である。
【００３８】
１２は記憶部である。この記憶部１２には、携帯端末側でコミュニケーションサービスを実行する為に携帯端末にダウンロードされるツール（プログラム）や、後述するマッチング処理等のサービスサーバとして機能を達成する為の制御プログラムとが格納されている。尚、これらのプログラムの機能の詳細は後述する。
【００３９】
また、記憶部１２には、ユーザ情報データベース１３と位置登録情報データベース１４とが格納されている。
【００４０】
ユーザ情報データベース１３は、コミュニケーションサービスの加入者毎にふられ、ユーザを識別する為のユーザ識別情報（ユーザＩＤ）と、このユーザ識別情報（ユーザＩＤ）に対応するユーザ情報（携帯端末の個別識別情報等）とが関連付けられて登録されているデータベースである。図３にユーザ情報データベース１３の一例を示す。図３では、ユーザ識別情報（ユーザＩＤ）に対応して、ユーザの名前（ニックネーム）、年齢及び携帯端末の個別識別情報からなるユーザ情報とが関連付けられて登録されている。例えば、ユーザ識別情報（ユーザＩＤ）“ａｂｃｄ”と、名前“たけし”と、年齢“２５”と、個別識別情報“ｘｘｘｘｘ”とが関連付けられて登録されている。尚、請求項に記載されているメールアドレスとは、通常のインターネット等で用いられるメールアドレスのみならず、上述したパケットCメールのような携帯端末固有の識別子、例えば電話番号も含む概念である。
【００４１】
位置登録情報データベース１４は、ユーザ識別情報（ユーザＩＤ）と、位置情報（緯度・経度）と、この位置情報（緯度・経度）に対応してユーザが登録したコメントとが関連付けられて登録されているデータベースである。図４に位置登録情報データベース１４の一例を示す。図４では、ユーザ識別情報（ユーザＩＤ）“ｘｙａａ”と、位置情報（緯度・経度）“緯度xx度yy分zz秒、経度aaa度bb分cc秒”と、コメント“お気に入り”とが関連付けられて登録されている。
【００４２】
１５は制御部である。この制御部１５は、ＣＰＵ、ＭＰＵ等で構成され、記憶装置１２に格納されている制御プログラムにより、サーバとして機能を達成する。
【００４３】
次に、携帯電話４の構成を説明する。尚、携帯電話５は、携帯電話４と同様な構成なので、詳細な説明は省略する。
【００４４】
図５は携帯電話４のブロック図である。
【００４５】
図５中、２１はコメントや画像を表示するディスプレイであり、２２はディスプレイ２１に画像を表示する為のＶＲＡＭ（Video Random Access Memory）であり、２３はデータを送受信する為の送受信部であり、２４はダウンロードや、アプリケーションを実行する、ＣＰＵ、ＭＰＵ等で構成された制御部、２５はテンキーなどの操作部、２６はダウンロードしたコミュニケーションツール（プログラム）及び相手ユーザの携帯電話の識別情報（電話番号等）が格納される記憶部、２７はＧＰＳの電波を受信してＧＰＳ情報を取得するＧＰＳ情報取得部である。
【００４６】
制御部２４は、コミュニケーションツール（プログラム）に従って、ユーザにコミュニケーションのサービスを実行する。
【００４７】
また、後述するようにＩＰサーバ１から送られてくる紹介データより、ユーザの携帯電話の識別情報（電話番号）を、記憶部２６に格納する。尚、携帯電話の識別情報（電話番号）が登録される記憶部２６は、上述した通り、通常のコンピュータのように、携帯電話のユーザが自由にデータの内容を確認することができないようになっている。
【００４８】
また、制御部２４は、記憶部２６に登録されている携帯電話の識別情報を送信先（宛先）とするコミュニケーションメールを生成し、送受信部２３を介して送信する。
【００４９】
ＧＰＳ情報取得部２７は、ＧＰＳの電波を受信してＧＰＳ情報を取得するものである。そして、取得したＧＰＳ情報は位置情報サービスサーバ８に送られ、位置情報サービスサーバ８により緯度・経度情報に変換され、この緯度・経度情報が携帯電話４に送信されてくる。
【００５０】
次に、上述の構成における動作を説明する。
【００５１】
まず、携帯電話４のユーザＡが、自分の気に入った場所や、想い出の場所をＩＰサーバ１に送信（位置登録情報の送信）する動作について説明する。図６は位置登録情報の送信までの動作を説明するフローチャートである。尚、説明をより具体的にするため、ここでは登録動作をするユーザを携帯電話４のユーザであるユーザＡとして説明する。
【００５２】
ユーザＡは、携帯電話４において、コミュニケーションツール（プログラム）を起動する。そして、ユーザＡが、現在いる場所をＩＰサーバ１に登録したいと思った場合、位置登録処理を開始する（Ｓｔｅｐ  １００）。位置登録の処理が開始されると、携帯端末の画面に「今いる場所の登録？」のコメントが携帯電話４のディスプレイ２１に表示され、現在のいる場所を登録するかの確認が表示される（Ｓｔｅｐ  １０１）。
【００５３】
今いる場所を登録する場合には、ディスプレイ２１にいくつかのコメントが表示される（Ｓｔｅｐ  １０２）。例えば、画面上に、「お気に入り」、「よくいるところ」、「想いでの場所」、「仕事ＳＰＯＴ」、「くつろぎの場所」及び「ひみつの場所」のコメントが表示される。
【００５４】
ユーザＡは、表示されたコメントの中から、現在登録しようとする場所にあったコメントを選択する（Ｓｔｅｐ  １０３）。そして、選択されたコメントは、記憶部２６に保存される（Ｓｔｅｐ  １０４）。
【００５５】
続いて、ＧＰＳ情報取得部２７により、ＧＰＳ情報を取得し、このＧＰＳ情報を位置情報サービスサーバ８に送信する（Ｓｔｅｐ  １０５）。
【００５６】
そして、送信したＧＰＳ情報に基づく緯度・経度情報を、位置情報サービスサーバ８から受信して記憶部に保存する（Ｓｔｅｐ  １０６）。
【００５７】
最後に、保存されているコメント及び緯度・経度情報を、ＩＰサーバ１に登録するかの確認を行い（Ｓｔｅｐ  １０７）、今すぐ登録するならばＩＰサーバ１にコメント及び緯度・経度情報に自己のユーザ情報を含めて位置登録情報とし、位置登録情報の登録処理を要求するフラグをつけて送信する（Ｓｔｅｐ  １０８）。また、後に登録する場合には、コメント及び緯度・経度情報を関連付けて記憶部２６に保存する（Ｓｔｅｐ  １０９）。
【００５８】
以上で、携帯電話４における、位置登録情報の送信までの動作の説明を終わる。
【００５９】
続いて、携帯電話４のユーザＡから送信されてきた位置登録情報がＩＰサーバ１に登録されるまでの動作について説明する。図７、図８は位置登録情報がＩＰサーバ１に登録されるまでの動作のフローチャートである。
【００６０】
まず、ＩＰサーバ１は、携帯電話４のユーザＡから位置登録情報を受信する（Ｓｔｅｐ  ２００）。そして、送信されてきた情報が、登録処理の要求なのか、後述するマッチング処理の要求なのかを判断する（Ｓｔｅｐ  ２０１）。
【００６１】
判定の結果が、登録処理の要求である場合には登録処理を行い（Ｓｔｅｐ  ２０２）、マッチング処理の要求である場合にはマッチング処理を行う（Ｓｔｅｐ２０３）。
【００６２】
登録処理である場合には、送信されてきた位置登録情報を位置登録情報データベース１４に登録する。具体的には、図４に示される如く、位置登録情報のユーザ識別情報（ユーザＩＤ）を取得し（Ｓｔｅｐ  ３００）、ユーザ識別情報（ユーザＩＤ）と、緯度・経度情報と、この情報に対応してユーザが選択したコメントとが関連付けられて位置登録情報データベース１４に登録される（Ｓｔｅｐ  ３０１）。
【００６３】
例えば、ユーザＡから位置登録情報として、ユーザ識別情報（ユーザＩＤ）“ｘｙｙｙ”と、位置情報（緯度・経度）“緯度ｘｘ度ｙ０分３ｚ秒、経度ａａａ度２ｂ分ｃ３秒”と、コメント“お気に入り”とが送信されてきた場合、図４に示される如く、関連付けられて位置登録情報データベース１４に登録される。
【００６４】
次に、マッチング処理について説明する。図９及び図１０は、マッチング処理の動作フローチャートである。
【００６５】
まず、ユーザＡが携帯電話４からサーバにマッチングするまでの動作については、上述したＳｔｅｐ  １００からＳｔｅｐ  １０６までの動作と同様である。そして、マッチング処理を要求する場合には、位置登録情報をサーバ１に送信する（Ｓｔｅｐ  ５０２）。
【００６６】
サーバ１側では、送信されてきた情報に基づいてマッチング処理が開始される（Ｓｔｅｐ  ４００）。まず、ユーザＩＤが取得される（Ｓｔｅｐ  ４０１）。
【００６７】
そして、受信した位置登録情報のうち、選択コメントと緯度・経度情報とを抽出し、この選択コメントと緯度・経度情報とマッチング（合致）するデータを、位置登録情報データベース１４から検索する（Ｓｔｅｐ  ４０２）。
この際、マッチングの条件として、緯度・経度情報については、所定のマージンを取る。これは、緯度・経度情報にマージンをとらないと、特定する場所がピンポイントになってしまい、マッチングする確立が非常に低くなるからである。本実施の形態では、図１１に示される如く、緯度・経度情報で特定される場所を中心にして、半径５００ｍ以内の地域をマージンとして取り、その範囲の地域に含まれる緯度・経度を同一の緯度・経度を持つものとして扱う。
【００６８】
マッチングした場合には、ユーザＩＤに対応するユーザ情報を、ユーザ情報データベース１３から検索する（Ｓｔｅｐ  ４０４）。そして、検索されたユーザ情報は、ユーザＡに紹介データとして送信される（Ｓｔｅｐ  ４０５）。
一方、マッチングしなかった場合には、該当者なしを送信する（Ｓｔｅｐ  ４０６）。
【００６９】
具体的に説明すると、ユーザＡから位置登録情報として、位置情報（緯度・経度）“緯度ｘｘ度ｙｙ分ｚｚ秒、経度ａａａ度ｂｂ分ｃｃ秒”と、コメント“お気に入り”とが送信され、この情報にマッチする情報を検索するとすると、位置登録情報データベース１４に位置情報（緯度・経度）“緯度ｘｘ度ｙ１分ｚ２秒、経度ａａａ度ｂ２分ｃｃ秒”（“緯度ｘｘ度ｙ１分ｚ２秒、経度ａａａ度ｂ２分ｃｃ秒”は、“緯度ｘｘ度ｙｙ分ｚｚ秒、経度ａａａ度ｂｂ分ｃｃ秒”を中心として、半径５００ｍ以内にある場所）と、コメント“お気に入り”が登録されている。そして、位置情報（緯度・経度）“緯度ｘｘ度ｙ１分ｚ２秒、経度ａａａ度ｂ２分ｃｃ秒”と、コメント“お気に入り”に対応するユーザＩＤを取得する。ここでは、ユーザＩＤは“ｘｙｚｚ”である。
従って、ユーザＩＤ“ｘｙｚｚ”のユーザ情報を、ユーザ情報データベース１３より、検索する。
【００７０】
ユーザの携帯電話４側では、該当者ありとしてマッチング（ヒット）した場合では、サーバ１から送信されてきた紹介データ（ユーザ情報）が記憶部２６に記憶される（Ｓｔｅｐ  ５０６）。
また、該当者がいない場合には、該当者なしが表示される（Ｓｔｅｐ  ５０７）。
このようにして、入手した紹介データ（特に、携帯電話の個別識別子）に基づいて、メールのやりとり等を行う。
【００７１】
【発明の効果】
本発明によれば、紹介されるユーザは、想い出の場所を共通するユーザであるため、話題が豊富となり、より一層のコミュニケーションを図ることができるという優れた効果を有する。
【図面の簡単な説明】
【図１】図１は本実施の形態の概念図である。
【図２】図２はＩＰサーバ１のブロック図である。
【図３】図３はユーザ情報データベース１３の一例を示す図である。
【図４】図４は位置登録情報データベース１４の一例を示す図である。
【図５】図５は携帯電話４のブロック図である。
【図６】図６は位置登録情報の送信までの動作を説明するフローチャートである。
【図７】図７は位置登録情報がＩＰサーバ１に登録されるまでの動作のフローチャートである。
【図８】図８は位置登録情報がＩＰサーバ１に登録されるまでの動作のフローチャートである。
【図９】図９はマッチング処理の動作フローチャートである。
【図１０】図１０はマッチング処理の動作フローチャートである。
【図１１】図１１はマッチング処理を説明するための図である。
【図１２】図１２は従来技術を説明するための図である。
【符号の説明】
１        ＩＰサーバ
２        ゲートウェイサーバ
３        基地局
４，５    携帯電話
６        固定通信網
７        通信網（インターネット）
８        位置情報サービスサーバ
９        メールサーバ
【図１】
0003719597.tif 000002
【図２】
0003719597.tif 000003
【図３】
0003719597.tif 000004
【図４】
0003719597.tif 000005
【図５】
0003719597.tif 000006
【図６】
0003719597.tif 000007
【図７】
0003719597.tif 000008
【図８】
0003719597.tif 000009
【図９】
0003719597.tif 000010
【図１０】
0003719597.tif 000011
【図１１】
0003719597.tif 000012
【図１２】
0003719597.tif 000013